(57)【要約】      （修正有）【課題】連結した土壌穿孔具を地中に効率的に穿孔できるとともに、不安定な場所でも容易で安全な操作が可能なハンマー式の柄を提供する。【解決手段】ハンマー式の柄１は、ハンマー部２と受け軸部３で構成され、ハンマー部２または受け軸部３の外周長手方向に構成されたスライド溝５と摺動ガイド部材により係止連結され、ハンマー部２の摺動により、スライド溝５の周方向への傾斜により受け軸部３を回転させるとともに受け軸部３を打撃する。【選択図】図１
0003226622.tif 000002
【実用新案登録請求の範囲】
【請求項１】
スコップ・シャベル・植栽器等の土壌穿孔具や、杭、地中に差し込みその深さを測る測定器等の土壌穿孔具に接続されるハンマー式の柄であり、前記ハンマー式の柄は筒状のハンマー部と、前記ハンマー部の打撃を受ける打撃部を有し、接続される作用対象に打撃力を伝える受け軸部により構成され、前記ハンマー部と前記受け軸部は、前記ハンマー部または前記受け軸部の外周長手方向に形成されたスライド溝と前記スライド溝に対応する摺動ガイド部材により係止連結され、前記スライド溝は周方向に傾斜し、前記ハンマー部の摺動により前記受け軸部を回転させるとともに前記受け軸部に打撃を与えることを特徴とするハンマー式の柄。
【請求項２】
前記ハンマー部または受け軸部の外周長手方向に形成され、周方向に傾斜したスライド溝の両端側の少なくとも上端側が、中央部分に比べてハンマー部または受け軸部の軸方向に対する傾斜角度を大きく形成され、前記ハンマー部の摺動速度と受け軸部材の回転速度及び回転角度を制御することを特徴とする請求項１または請求項２に記載のハンマー式の柄。
【請求項３】
土壌穿孔具に接続されるハンマー式の柄であり、前記ハンマー式の柄は筒状のハンマー部と、前記ハンマー部の打撃を受ける打撃部を有し、接続される作用対象に打撃力を伝える受け軸部により構成され、前記ハンマー部と前記受け軸部は、前記ハンマー部または前記受け軸部の外周長手方向に形成されたスライド溝と前記スライド溝に対応する摺動ガイド部材により係止連結され、前記スライド溝は両端側のうち少なくとも上端部側が周方向に傾斜し、前記ハンマー部の摺動により前記受け軸部を回転させるとともに前記受け軸部に打撃を与えることを特徴とするハンマー式の柄。
【請求項４】
前記スライド溝は前記ハンマー部の摺動距離よりも長く設けられ、前記スライド溝に沿い前記ハンマー部を降下させながら受け軸部を回転させるとともに前記受け軸部の打撃部と衝突する構成とされていることを特徴とする請求項１ないし３のいずれか１項に記載のハンマー式の柄。
【請求項５】
前記受け軸部に、手で操作したり足を掛けたりするための操作用バーを備え、前記操作用バーが打撃部を構成するとともに、着脱自在に設けられ、その装着位置を変えることで打撃部の位置が変わる打撃位置調整部材を兼ねていることを特徴とする請求項１ないし４のいずれか１項に記載のハンマー式の柄。
【請求項６】
前記ハンマー部の外周下端側に螺合する打撃位置調整部材が設けられており、打撃力を調整する錘を兼ねることを特徴とする請求項１ないし５のいずれか１項に記載のハンマー式の柄。
【請求項７】
前記受け軸部の打撃部が、前記受け軸部の上端に設けられ、前記ハンマー部の上底面内側と衝突させるか、前記ハンマー部内部に干渉部材を設けて衝突させることを特徴とする請求項１ないし４のいずれか１項に記載のハンマー式の柄。
【請求項８】
前記受け軸部の打撃部近傍、及び／又は、受け軸部の上端近傍にバネ部材が配されており、前記ハンマー部による打撃の反動を利用し前記ハンマー部を元の高さ位置に戻す作用を生じさせることを特徴とする請求項１ないし７のいずれか１項に記載のハンマー式の柄。
【考案の詳細な説明】
【技術分野】
【０００１】
本考案は、スコップ・シャベル・植栽器等の土壌穿孔具や、杭、地中に差し込みその深さを測る測定器等の土壌穿孔具に対して打撃するハンマー式の柄に関する。
【背景技術】
【０００２】
従来、植栽のためには、鍬やスコップ等が使用される。また、地中に差し込みその深さを測る測定器では、単に土壌に対して突き刺して使用されるか、深さが深い場合には、その測定器の頭をハンマー等で打撃して深く差し込む。しかし、山間部において植栽をする場合などの作業条件においては、植物の根を切断したり、傾斜地において深く差し込むために、更に大きな力が必要になる。そこで、大きな力を加えるための機器が開発されている。
【０００３】
特許文献１に、穴あけ器に係る発明として、その要約において、「（課題）比較的少ない力で芝の根切り作業と地面の穿孔作業とを同時に行うことができる穴あけ器を提供する。」として、「（解決手段）穴あけ器１０２を筒状の本体部１１０と、本体部１１０の一方端部に形成された刃１１２とで構成し、刃１１２に少なくとも３つの刃部１３０を形成する。また、当該各刃部１３０を、互いに離間した位置にある頂部１３２と、互いに離間した位置にある谷部１３３と、頂部１３２および谷部１３３との間に形成された稜線部１３４とで構成することにより、上記課題を解決できる。」と記載されている。
特許文献２には、杭打ちハンマーに係る発明として、その要約において、「（課題）杭打ちを上下垂直の振り下ろしも円弧軌跡の振り下ろしも、高耐久性を有して強打できるようにする。」として、「（解決手段）略長方体形状の頭部体３の一長面３ａに連結穴４を穿孔し、この連結穴４にパイプ柄５の先端を挿入して連結している。前記パイプ柄５の先端内部に杭頭７ａと当接するプラグ８を嵌入し、頭部体３の連結穴４の奥面にパイプ柄５とプラグ８の先端８ａが当接する打撃受け面９を形成し、前記プラグ８を頭部体３の前記一長面３ａから突出する長さとしている。」が記載されている。
特許文献３には、その要約において、「（課題）植穴形成時の作業効率を向上させるとともに、植穴近辺の雑草を刈払いできる背負式土壌穿孔具具を提供する。」として、「（解決手段）コンテナ苗を移植する植穴を形成する器具において、鞘筒６内に配設された回転軸５１と、該回転軸５１の一端側に形成されたスクリュー羽根５２と、前記回転軸５１の他端側に可撓性の伝達機構３を介して接続される駆動源１１と、該駆動源１１を積載する背負子１２と、前記鞘筒６の一端側に配設された水平ハンドル７と、前記鞘筒６の他端側に配設された足踏バー９と、前記鞘筒６に対して上下へ摺動可能に配設された保護カバー８とから構成した。」と記載されている。
【先行技術文献】
【特許文献】
【０００４】
【特許文献１】特開２０１７−１５３３９５号
【特許文献２】特開２０１９−１００１３２号
【特許文献３】特開２０１６−１４０３４７号
【考案の概要】
【考案が解決しようとする課題】
【０００５】
上記のように、スコップ・シャベル・植栽器等の土壌穿孔具、杭や、地中に差し込みその深さを測る測定器を地中に深く差し込む場合や、山間部における植林など、土壌穿孔とともに植物の根をはじめとする障害物の切断が求められる場合には、大きな力が必要になる。このような作業は重労働になるため、必要に応じてハンマーで大きな力を得るようにすることが望まれる。また、土の固さも、場所に応じて異なることから、ハンマー式ではその力を調節できることが望まれる。さらに、危険な作業を伴うことから、ハンマー式の危険を防止して安全な作業がなされる必要がある。
しかしながら、上記特許文献では、これらの課題をすべて満たすことはできなかった。また、スコップ、シャベルや、杭、測定器などの種類に応じてその大きな力を調整する必要があるが、そのような調整を簡単に行うことはできなかった。そして、持ち運びに便利なように、容易に組立て可能で、分解も容易であることが望まれるが、そのような構造にはなっていなかった。
【０００６】
そこで本考案の目的は、土壌穿孔具を地中に深く埋設できるとともに、安全な操作が可能なハンマー式の柄を提供することにある。
【課題を解決するための手段】
【０００７】
本考案は、スコップ・シャベル・植栽器等の土壌穿孔具や、杭、地中に差し込みその深さを測る測定器等の土壌穿孔具に接続されるハンマー式の柄であり、前記ハンマー式の柄は筒状のハンマー部と、前記ハンマー部の打撃を受ける打撃部を有し、接続される作用対象に打撃力を伝える受け軸部により構成され、前記ハンマー部と前記受け軸部は、前記ハンマー部または前記受け軸部の外周長手方向に形成されたスライド溝と前記スライド溝に対応する摺動ガイド部材により係止連結され、前記スライド溝は周方向に傾斜し、前記ハンマー部の摺動により前記受け軸部を回転させるとともに前記受け軸部に打撃を与えることを特徴とするハンマー式の柄である。
また、本考案としては、前記受け軸部の打撃部が、前記受け軸部の上端に設けられ、前記ハンマー部の上底面内側と衝突させるか、前記ハンマー部内部に干渉部材を設けて衝突させることを特徴とする。
本考案によれば、ハンマー部を上下に摺動させて受け軸部に打撃を与え、受け軸部を回転降下させる構成により、不安定な場所で使用しても、所望する鉛直方向への打撃が容易で安全に行えるとともに、連結させる土壌穿孔具によって位置ずれ防止や穿孔の障害となる植物の根などを切断する効果も得られるので、山間部の斜面における植栽・植林に好適である。
また、前記受け軸部の打撃部の位置は、上方側の位置と下方側の位置とのいずれかで行うことができるので、前記土壌穿孔具の種類や使用環境などにより使い分けることができる。
【０００８】
本考案によれば前記ハンマー部または受け軸部の外周長手方向に形成され、周方向に傾斜したスライド溝の両端側の少なくとも上端側が、中央部分に比べてハンマー部または受け軸部の軸方向に対する傾斜角度を大きく形成され、前記ハンマー部の摺動速度と受け軸部材の回転速度及び回転角度を制御することを特徴とする請求項１または請求項２に記載のハンマー式の柄である。
本考案によれば、ハンマー部の外周に設けられたスライド溝は、場所により軸方向に対する傾斜角度を変えることにより、ハンマー部を昇降させる力を受け軸部を回転させる力に変換する比率を変えことができ、ハンマー部の昇降速度や打撃力を制御できる。
すなわち、ハンマー部を上昇させた後降下させ、打撃部に衝突させる場合、軸方向に対し傾斜角度が小さいスライド溝の中央部分では、位置ずれ防止できる程度の力で受け軸部を回転させ、ハンマー部の降下速度が増し、軸方向に対し傾斜角度は大きいスライド溝の上端部に差し掛かると、中央部分で加速した力を受け軸部を回転させる力と降下させる力に分配しながら、打撃部に衝突させることができる。そのため、ハンマー部と打撃部の衝突直前では連結された土壌穿孔具を回転させる力と降下させる力を同時に伝えられるので、穿孔の障害となる植物の根などを断ち切りながら、深く穿孔させることができる。
また、スライド溝がハンマー部または受け軸部の長手方向に形成されており、前記スライド溝の両端側のうち少なくとも上端部側が周方向に傾斜した構成にすることにより、中央部で十分に加速したハンマー部の力を、受け軸部が回転する力と下降する力に利用できる。
【０００９】
前記スライド溝は前記ハンマー部の摺動距離よりも長く設けられ、前記スライド溝に沿い前記ハンマー部を降下させながら受け軸部を回転させるとともに前記受け軸部の打撃部と衝突する構成とされていることを特徴とする。
本考案によれば、ハンマー部が受け軸部の打撃部に衝突しても、摺動ガイド部材はスライド溝の上端と干渉しないことから、摺動ガイド部材・スライド溝の損傷・破損を防止するとともに、打撃が受け軸部の回転角度に影響を及ぼさない。
【００１０】
本考案としては、前記受け軸部に、手で操作したり足を掛けたりするための操作用バーを備え、前記操作用バーが打撃部を構成するとともに、着脱自在に設けられ、その装着位置を変えることで打撃部の位置が変わる打撃位置調整部材を兼ねていることを特徴とする。
本考案によれば、前記打撃位置調整部材により、使用場所の制限や使用者の制限がなく、安全で有効な土壌穿孔作業を行うことが可能となる。
すなわち、傾斜角度が大きな場所で使用する場合と平坦な場所で使用する場合、使用者の身長が異なる場合など、その都度好適な打撃位置を設定することにより、安全で有効な土壌穿孔作業に寄与する。
【００１１】
本考案としては、前記ハンマー部の外周下端側に螺合する打撃位置調整部材が設けられており、打撃力を調整する錘を兼ねることを特徴とする。
本考案によれば、螺合状態の調整や、大きさ（特に上下方向の長さ）が異なる打撃位置調整部材の取付けることにより、打撃部の位置を調整できるとともに、所望する打撃力に応じて適切な打撃部調整部材を適用することができる。
【００１２】
本考案としては、前記受け軸部の打撃部近傍、及び／又は、受け軸部の上端近傍にバネ部材が配されており、前記ハンマー部による打撃の反動を利用し前記ハンマー部を元の高さ位置に戻す作用を生じさせることを特徴とする。
本考案により、ハンマー部と受け軸部（打撃部）が衝突するときに、受け軸部の打撃部近傍や受け軸部の上端近傍など、両者の距離が縮まる場所にバネ部材が配され、ハンマー部が受け軸部（打撃部）に衝突して打撃力が生じた後の反動を生じさせることから、打撃後のハンマー部を繰り返し摺動させるための戻し動作（上昇させる動作）を力をかけずに（小さな力で済むように）行うことができる。
【考案の効果】
【００１３】
本考案の構成により、ハンマー部の単純な鉛直方向の摺動（昇降動作）を行うことで、打撃部で生じた力を、受け軸部を降下させる力だけでなく、回転させる力にも変換できるので、障害物がある土壌であっても土壌穿孔具の穿孔が可能で、斜面等の不安定な場所でも所望の穿孔が容易かつ安全に行うことができる。
また、打撃部の位置を調整可能な構成とすることで、使用場所・使用者の条件を問わず広く利用可能となる。
【図面の簡単な説明】
【００１４】
【図１】本考案の実施形態のハンマー式の柄を示す外観斜視図である。
【図２】本考案の実施形態のハンマー部を示す外観斜視図である。
【図３】本考案の実施形態のハンマー式の柄の摺動ガイド部材と受け軸部の関係を示す斜視図である。
【図４】本考案の実施形態のハンマー式の柄の摺動ガイド部材とスライド溝を示す斜視図である。
【図５】本考案の実施形態と別の実施形態の摺動ガイド部材とスライド溝を示す斜視図である。
【図６】本考案の実施形態のハンマー式の柄の使用状態を示す模式図である。
【図７】本考案の実施形態と別のハンマー式の柄の使用状態を示す模式図である。上記実施形態のハンマー式の柄を説明する斜視図である。
【図８】本考案の実施形態においてハンマー部の摺動が受け軸部に与える力を模式的に示す図である。
【図９】本考案の実施形態に適用されるバネ部材を示す斜視図である。
【図１０】上記実施形態の軸受け部材に連結される土壌穿孔具の例を示す図である。
【図１１】上記実施形態と上記実施形態とは別の摺動ガイド部材とスライド溝の構成を示す模式図である。
【考案を実施するための形態】
【００１５】
以下、本考案を実施するための一形態を図面を引用しながら説明する。
【００１６】
図１は、本考案の実施形態のハンマー式の柄を植栽器に適用した外観斜視図であり、植栽器等の土壌穿孔具９を下方側に有する受け軸部３と、前記受け軸部３に摺動可能に支持されて打撃を与えるハンマー部２を主な構成要素とし、ハンマー部２と受け軸部材３には、各々操作用バー６、７が取り付けられている。
【００１７】
（ハンマー部について）
図２に示す本実施の形態のハンマー部２は筒状の鋼鉄製で、外周にスライド溝５が形成され、前記スライド溝５はハンマー部の軸方向に対し周方向に傾斜している。また、スライド溝の上端５ａと下端５ｂとの距離をＨで示し、５ｃはスライド溝の中央部分を示している。加えてハンマー部２には操作用バー６が設けられており、使用者は操作用バー６を把持し、昇降動作（摺動）させることになる。
ハンマー部２の上端側には上底面を有するものを採用して上底面と受け軸部３の上端を打撃位置としても良く（Ｄ１）、上底面を有しない筒状（管状）のものを採用しても良い。
ハンマー部２の外周下端側には、打撃位置調整部材１ａが螺合して配されている。打撃位置調整部材１ａは、螺合状態を調整し打撃点Ｄ３の位置を変更することも可能で、錘を兼ねている（図２（ａ））。したがって、打撃部に大きな負荷（衝撃力）を与える場合には、重量の重い打撃位置調整部材１ａに変更して使用する。
【００１８】
（受け軸部について）
本実施の形態の受け軸部３は前記ハンマー部２に対応した筒状で、下方側に植栽器等の土壌穿孔具９を接続し、摺動ガイド部材４を係止するためのネジ穴３ａが設けられており、スライド溝５を介して摺動ガイド部材４によりハンマー部が摺動可能に取付けられている（図３）。さらに着脱式で、受け軸部３を挟持する円環状の挟持部により操作用バー７が取付けられており、使用者は運搬や穿孔動作前後の抜き差しに使用する（図１）。
尚、図２（ａ）のＤ１〜Ｄ３はハンマー部における打撃部の位置を示しており、打撃位置Ｄ１とする場合、ハンマー部２の上底面内側と受け軸部の上端とが衝突し打撃部を構成する。この場合、操作用バー６はハンマー部２を貫通させずハンマー部上底面内側と受け軸部の上端の衝突を妨げないように設けられることになる。次に打撃位置Ｄ２とする場合は、ハンマー部２を貫通させるように操作用バー６を配し、操作用バー６のハンマー部貫通部分と受け軸部の上端とが衝突し打撃部を構成することになる。また、打撃位置Ｄ３とする場合は、ハンマー部外周下端の打撃点調整部材１ａと操作用バー７を受け軸部３に装着するための挟持部とが衝突し打撃部を構成する。
【００１９】
（スライド溝について）
ハンマー部２の外周に形成されているスライド溝５は、軸方向に対して周方向に傾斜しているため、摺動ガイド部材４との関係において、ハンマー部２を周方向に回転しないように固定して摺動させると、スライド溝の傾斜に応じて受け軸部３が相対的に回転することになる。
本実施の形態のように、土壌穿孔具９が図１０で示すような下端に複数の刃を形成する植栽器である場合、このスライド溝の傾斜に応じた受け軸部３の回転により、土壌穿孔具９も回転し、位置ずれ防止や穿孔の妨げになるような土壌中の植物の根などの障害物を切断しながら有効な土壌穿孔を行うことができる。
このスライド溝５としては、一本の溝として形成して、摺動ガイド部材４であるネジ部材がスライド溝５を介して受け軸部材３のネジ穴３ａに螺合しているものでもよく（図４）、ハンマー部の軸を中心にして点対称にハンマー部の外周にスライド溝を二本形成して、摺動ガイド部材４であるネジ部材がスライド溝５を介して受け軸部３を貫通して螺合するものでもよい（図５）。
また、スライド溝５は、ハンマー部の軸に対して周方向に傾斜しているが、直線状に形成したり、螺旋形状に形成したり、種々変更することができる。図６の例は、直線状に形成したものである。そして、ハンマー部２の摺動距離（スライド溝下端部５ｂと摺動ガイド部材４が干渉する位置から打撃点まで距離）よりもスライド溝の距離Ｈのほうが長く設定されていることにより、摺動ガイド部材４とスライド溝の上端部５ａが打撃部にならず、打撃による衝撃で摺動ガイド部材４やスライド溝の上端部５ａが損傷・破損しない構成となっている。
次に図７、図８の例は、前記スライド溝５の上下端側５ａ，５ｂでは、中央部５ｃよりも傾斜を急にしたものを示している。ハンマー部２を上昇させる際に、摺動ガイド部材４とスライド溝５の下端部５ｂが急激な衝突を緩和させ、摺動ガイド部材４やスライド溝５の下端部５ｂの損傷・破損を防止する。一方、ハンマー部２を下降させる際には、摺動ガイド部材４が傾斜の緩い中央部分５ｃを通過するときに加速度が増し、傾斜が急な上端部５ａに差し掛かると加速により増大した力を、受け軸部材３（土壌穿孔具９）を回転させる力と降下させる力に変換させながら打撃することができる。
尚、図８に示される矢印はハンマー部摺動（下降）時に受け軸部３を回転させる力と下降させる力の大きさを模式的に示している。
【００２０】
上記のように、ハンマー部２と受け軸部３、摺動ガイド部材４とスライド溝５の関係は、図１１（ａ）で示すような関係だけでなく、図１１（ｂ）で示すような関係でも良い。図１１（ｂ）は内部の構成が分かりやすいように、ハンマー部２を半透明で表している。
すなわち、軸方向に対し周方向に傾斜したスライド溝５が形成された受け軸部３と、ねじ穴を形成したハンマー部２が、ねじ穴を介して摺動ガイド部材４により連結固定され、ハンマー部から突出した係止具４の先端と受け軸部３のスライド溝５が対応し摺動する構成である。
この構成でも上記ハンマー部の摺動により、傾斜したスライド溝とそれに対応した係止具により受け軸部を回転させるとともに打撃する事ができる。
【００２１】
（バネ部材について）
図１や図１１に示すように、本考案の実施の形態では、バネ部材が配されているが、配置場所はハンマー部２の内部、受け軸部３の上端近傍や、受け軸部３に装着された操作用バー７の挟持部など、衝撃部近傍など、打撃時にハンマー部２と受け軸部３との距離が縮まる位置である。
また、配置されたバネの弾性力は、ハンマー部２を降下させハンマー部２と受け軸部３が衝突して生じる力よりも小さく設定され、土壌穿孔を阻害しないようにするが、衝突後ハンマー部２を上昇させるときに補助する力となるので、作業が容易で使用者の負担を軽減する。
打撃部の位置に応じてバネ部材８ａ，８ｂはいずれか一方でも良いが、両方に設けられていても良い。
【００２２】
（受け軸部に配された操作用バーについて）
本考案の実施の形態における操作用バー７は、円環状の挟持部材により受け軸部３に着脱自在に配され、打撃位置Ｄ３とし、ハンマー部２の下端とともに打撃部を構成する。
この場合、着脱自在に設けられた操作用バー７の位置を調整することで打撃位置を調整することができる（打撃位置調整部材）。
操作用バー７は、受け軸部材３を挟持して固定する挟持部を有するものだけでなく、ネジ山を設けた操作用バー７を受け軸部３に前記ネジ山に対応した複数のネジ穴を設けて、所望する位置に操作バー７を螺合しても良い（図示しない）。
また、操作用バー７を移動させず、別途受け軸部３に移動可能な打撃位置調整部材を設け、ハンマー部２と衝突する打撃部を構成する形態としても良い。
上記に加え、ハンマー部２の外周下端に螺合された錘を兼ねた打撃点調整部材１ａの螺合状態の変更やサイズ（上下方向の長さ）の異なる打撃位置調整部材１ａと併用することにより、使用状況に適した打撃位置調整と打撃力調整が可能となる。
これら打撃位置調整部材による打撃位置調整は、前述の通りハンマー部２の摺動距離がスライド溝の距離Ｈよりも短い範囲で行われなければならない。
【００２３】
以上、本実施の形態では、筒状のハンマー部を例に説明したが、角型部材であってもよく、また、前記受け軸部も円筒状に限らず角形形状であっても良い。また、本考案のハンマー式の柄１は、土壌穿孔具９の種類を問わず、前記受け軸部３に連結できるものであれば広く活用できるものである。
【符号の説明】
【００２４】
１          ハンマー式の柄、１ａ  打撃位置調整部材（錘と兼用）、
２          ハンマー部、
３          受け軸部、３ａ  ネジ穴、
４          摺動ガイド部材（ネジ部材）、
５          スライド溝、５ａ  溝の上方端側、５ｂ  溝の下方端側、
６          ハンマー部の操作用バー、
７          受け軸部の操作用バー（打撃位置調整部材と兼用）、
８ａ，８ｂ  バネ部材、
９          土壌穿孔具（植栽器）、９ｂ  螺旋状の刃、
Ｈ          スライド溝の長さ
【図１】
0003226622.tif 000003
【図２】
0003226622.tif 000004
【図３】
0003226622.tif 000005
【図４】
0003226622.tif 000006
【図５】
0003226622.tif 000007
【図６】
0003226622.tif 000008
【図７】
0003226622.tif 000009
【図８】
0003226622.tif 000010
【図９】
0003226622.tif 000011
【図１０】
0003226622.tif 000012
【図１１】
0003226622.tif 000013
【手続補正書】
【提出日】令和2年4月16日(2020.4.16)
【手続補正１】
【補正対象書類名】実用新案登録請求の範囲
【補正対象項目名】全文
【補正方法】変更
【補正の内容】
【実用新案登録請求の範囲】
【請求項１】
スコップ・シャベル・植栽器等の土壌穿孔具や、杭、地中に差し込みその深さを測る測定器等の土壌穿孔具に接続されるハンマー式の柄であり、前記ハンマー式の柄は筒状のハンマー部と、前記ハンマー部の打撃を受ける打撃部を有し、接続される作用対象に打撃力を伝える受け軸部により構成され、前記ハンマー部と前記受け軸部は、前記ハンマー部または前記受け軸部の外周長手方向に形成されたスライド溝と前記スライド溝に対応する摺動ガイド部材により係止連結され、前記スライド溝は周方向に傾斜し、前記ハンマー部の摺動により前記受け軸部を回転させるとともに前記受け軸部に打撃を与えることを特徴とするハンマー式の柄。
【請求項２】
前記ハンマー部または受け軸部の外周長手方向に形成され、周方向に傾斜したスライド溝の両端側の少なくとも上端側が、中央部分に比べてハンマー部または受け軸部の軸方向に対する傾斜角度を大きく形成され、前記ハンマー部の摺動速度と受け軸部材の回転速度及び回転角度を制御することを特徴とする請求項１に記載のハンマー式の柄。
【請求項３】
土壌穿孔具に接続されるハンマー式の柄であり、前記ハンマー式の柄は筒状のハンマー部と、前記ハンマー部の打撃を受ける打撃部を有し、接続される作用対象に打撃力を伝える受け軸部により構成され、前記ハンマー部と前記受け軸部は、前記ハンマー部または前記受け軸部の外周長手方向に形成されたスライド溝と前記スライド溝に対応する摺動ガイド部材により係止連結され、前記スライド溝は両端側のうち少なくとも上端部側が周方向に傾斜し、前記ハンマー部の摺動により前記受け軸部を回転させるとともに前記受け軸部に打撃を与えることを特徴とするハンマー式の柄。
【請求項４】
前記スライド溝は前記ハンマー部の摺動距離よりも長く設けられ、前記スライド溝に沿い前記ハンマー部を降下させながら受け軸部を回転させるとともに前記受け軸部の打撃部と衝突する構成とされていることを特徴とする請求項１ないし３のいずれか１項に記載のハンマー式の柄。
【請求項５】
前記受け軸部に、手で操作したり足を掛けたりするための操作用バーを備え、前記操作用バーが打撃部を構成するとともに、着脱自在に設けられ、その装着位置を変えることで打撃部の位置が変わる打撃位置調整部材を兼ねていることを特徴とする請求項１ないし４のいずれか１項に記載のハンマー式の柄。
【請求項６】
前記ハンマー部の外周下端側に螺合する打撃位置調整部材が設けられており、打撃力を調整する錘を兼ねることを特徴とする請求項１ないし５のいずれか１項に記載のハンマー式の柄。
【請求項７】
前記受け軸部の打撃部が、前記受け軸部の上端に設けられ、前記ハンマー部の上底面内側と衝突させるか、前記ハンマー部内部に干渉部材を設けて衝突させることを特徴とする請求項１ないし４のいずれか１項に記載のハンマー式の柄。
【請求項８】
前記受け軸部の打撃部近傍、及び／又は、受け軸部の上端近傍にバネ部材が配されており、前記ハンマー部による打撃の反動を利用し前記ハンマー部を元の高さ位置に戻す作用を生じさせることを特徴とする請求項１ないし７のいずれか１項に記載のハンマー式の柄。